(57)【要約】  密閉圧縮機が開示される。密閉圧縮機は、圧縮ユニットと起電力ユニットとを備える。圧縮ユニットは、圧縮チャンバーを有するシリンダーブロックと、圧縮チャンバーに制御可能に結合可能である排出チャンバーを有するシリンダーヘッドと、排出チャンバーに結合された排出マフラーチャンバーを形成する排出マフラー本体部および排出マフラーカバーと、圧縮チャンバー内で冷媒を圧縮するように構成されているピストンと、少なくとも１つの取り付け脚を有するメインフレームとを備える。起電力ユニットは、固定子と、回転子と、回転子に結合したクランクシャフトとを備える。起電力ユニットは、固定子に対する回転子の回転運動がクランクシャフトの回転を引き起こすことによりピストンを駆動して圧縮チャンバー内で冷媒を圧縮するように構成されている。圧縮ユニットは、起電力ユニットの固定子に結合されており、メインフレームの少なくとも１つの取り付け脚および排出マフラーカバーにより支持されている。【選択図】図２Ａ
2021519880.tif 000002
【特許請求の範囲】
【請求項１】
圧縮ユニットと起電力ユニットとを備える密閉圧縮機であって、
前記圧縮ユニットが、
圧縮チャンバーを有するシリンダーブロックと、
前記圧縮チャンバーに制御可能に結合可能である排出チャンバーを有するシリンダーヘッドと、
前記排出チャンバーに結合された排出マフラーチャンバーを形成する排出マフラー本体部および排出マフラーカバーと、
前記圧縮チャンバー内で冷媒を圧縮するように構成されているピストンと、
少なとも１つの取り付け脚を有するメインフレームと
を備え、
前記起電力ユニットが、
固定子と、
回転子と、
前記回転子に結合したクランクシャフトと
を備え、
前記起電力ユニットが、前記固定子に対する前記回転子の回転運動が前記クランクシャフトの回転を引き起こすことにより前記ピストンを駆動して前記圧縮チャンバー内で冷媒を圧縮するように構成されており、
前記圧縮ユニットが、前記起電力ユニットの固定子に結合されており、前記メインフレームの少なくとも１つの取り付け脚および前記排出マフラーカバーにより支持されている、
密閉圧縮機。
【請求項２】
前記シリンダーブロック、前記メインフレーム、および前記排出マフラー本体部が一体的に形成されている、請求項１に記載の密閉圧縮機。
【請求項３】
前記シリンダーブロック内に形成された排出ポートであって、前記排出チャンバーを前記排出マフラーに接続している排出ポートをさらに備える、請求項１または２に記載の密閉圧縮機。
【請求項４】
前記排出マフラー本体部を前記固定子に取り付け、前記排出マフラーカバーに挿通されることにより前記排出マフラーカバーを所定の位置に保持する接続ボルトをさらに備える、請求項１から３のいずれか一項に記載の密閉圧縮機。
【請求項５】
前記接続ボルトが、サスペンションスプリングを受け入れるように構成された緩衝器を形成するヘッドを有する、請求項４に記載の密閉圧縮機。
【請求項６】
第１のチャンバーカバーに結合した冷媒排出パイプをさらに備える、請求項１から５のいずれか一項に記載の密閉圧縮機。
【請求項７】
前記排出マフラーが、前記圧縮チャンバーから横方向に変位している、請求項１から６のいずれか一項に記載の密閉圧縮機。
【請求項８】
第２の排出マフラーをさらに備える、請求項１から７のいずれか一項に記載の密閉圧縮機。
【発明の詳細な説明】
【技術分野】
【０００１】
本開示は、密閉圧縮機、特に、排出マフラーを有する密閉圧縮機内の圧縮ユニットの支持に関する。
【背景技術】
【０００２】
典型的な往復圧縮機は、ケース内に配置された圧縮ユニットと起電力ユニットとを備える。圧縮ユニットは、メインフレームにより支持されるシリンダーブロックを備える。メインフレームは、複数の取り付け脚を有する。
【０００３】
圧縮ユニットは、吸引チャンバーと排出チャンバーを有するシリンダーヘッドとをさらに備える。使用中、冷媒は、起電力ユニットにより駆動されるピストンにより圧縮される。圧縮された冷媒は、シリンダーヘッドの冷媒排出チャンバーから、シリンダーブロックの片側に形成された１以上のチャンバーを含む排出消音システムに流れる。
【０００４】
排出消音システムは、圧縮機により冷凍システムにポンプで送り出されるガスの脈動を減衰させるだけでなく、圧縮機から外部環境にさらされるノイズを低減するように設計されている。前記消音チャンバーシステムにはいくつかの構造が使用され、チャンバーの容積またはチューブの順序などの構成を変えることができる。しかし、そのような構成の設計は、最近の開発において圧縮機を小型化する際に制限を受ける。
【発明の概要】
【０００５】
本発明の一実施形態によれば、密閉圧縮機は、圧縮ユニットと起電ユニットとを備える。圧縮ユニットは、圧縮チャンバーを有するシリンダーブロックと、圧縮チャンバーに制御可能に結合可能である排出チャンバーを有するシリンダーヘッドと、排出チャンバーに結合された排出マフラーチャンバーを形成する排出マフラー本体部および排出マフラーカバーと、圧縮チャンバー内で冷媒を圧縮するように構成されているピストンと、少なくとも１つの取り付け脚を有するメインフレームとを備える。起電力ユニットは、固定子と、回転子と、回転子に結合されたクランクシャフトとを備える。起電力ユニットは、固定子に対する回転子の回転運動がクランクシャフトの回転を引き起こすことによりピストンを駆動して圧縮チャンバー内で冷媒を圧縮するように構成されている。圧縮ユニットは、起電力ユニットの固定子に結合されており、メインフレームの少なくとも１つの取り付け脚および排出マフラーカバーにより支持されている。
【０００６】
圧縮ユニットは、排出マフラーカバーにより支持されているため、圧縮ユニットを支持するために必要な取り付け脚の数を減らすことができる。これにより、よりコンパクトで製造に必要な材料が少ない密閉圧縮機を実現できる。さらに、この構成により、排出マフラーチャンバーのサイズを、密閉圧縮機の他のコンポーネントに対して最大化することができる。
【０００７】
いくつかの実施形態では、シリンダーブロック、メインフレーム、および排出マフラー本体部は、一体的に形成されている。
【０００８】
いくつかの実施形態では、排出ポートは、排出チャンバーを排出マフラーに接続するシリンダーブロック内に形成されている。
【０００９】
密閉圧縮機は、排出マフラー本体部を固定子に取り付け、排出マフラーカバーに挿通されることにより排出マフラーカバーを所定の位置に保持する接続ボルトをさらに備えていてもよい。このような接続ボルトの構成により、排出マフラーカバーを所定の位置に保持するための別のボルトまたは他のコネクターの必要性がなくなる。接続ボルトは、サスペンションスプリングを受け入れるように構成された緩衝器を形成するヘッドを有していてもよい。
【００１０】
冷媒排出パイプは、第１のチャンバーカバーに結合されていてもよい。排出マフラーチャンバーは、圧縮チャンバーから横方向に変位していてもよい。
【００１１】
密閉圧縮機は、第２の排出マフラーをさらに備えていてもよい。
【図面の簡単な説明】
【００１２】
以下では、本発明の実施形態を、添付の図面を参照して非限定的な例として説明する。
【図１】密閉圧縮機の断面図を示す図である。
【図２Ａ】本発明の一実施形態による圧縮ユニットおよび起電力ユニットの正面図である。
【図２Ｂ】本発明の一実施形態による圧縮ユニットおよび起電力ユニットの側面図である。
【図２Ｃ】本発明の一実施形態による圧縮ユニットおよび起電力ユニットの上面図である。
【図３】本発明の一実施形態による圧縮ユニットおよび起電力ユニットの分解図である。
【図４】従来の圧縮機の圧縮ユニットおよび起電力ユニットの分解図である。
【図５Ａ】本発明の実施形態による密閉圧縮機の一体型シリンダーブロックの図である。
【図５Ｂ】本発明の実施形態による密閉圧縮機の一体型シリンダーブロックの図である。
【図５Ｃ】本発明の実施形態による密閉圧縮機の一体型シリンダーブロックの図である。
【発明を実施するための形態】
【００１３】
図１に、密閉圧縮機の断面図を示す。密閉圧縮機１００は、上部シェル１０１と下部シェル１０２から形成される気密容器を備える。密閉圧縮機１００は、起電力ユニット１０４により駆動される圧縮ユニット１０３を備える。圧縮ユニット１０３は、シリンダーブロック１０５と、ピストン１０６と、クランクシャフト１０７と、コネクティングロッド１０８とを備える。起電力ユニット１０４は、固定子コア１１０と複数の固定子コイル巻線１１１とを含む固定子１０９を備える。回転子１１２は、固定子１０９内に位置している。図１に示されるように、圧縮ユニット１０３は、起電力ユニット１０４の上方に配置されている。圧縮ユニットの下部は、複数の取り付け脚１１５を有するメインフレーム１１４を形成する。起電力ユニット１０４は、取り付け脚１１５を介して圧縮ユニット１０３を支持する。図１に示されるように、固定子コア１１０は、メインフレーム１１４の取り付け脚１１５に結合している。起電力ユニット（element）１０４は、複数のサスペンションスプリング１１３により、底部気密容器部分１０２の基部の上に支持されている。
【００１４】
使用時において、電流は、固定子１０９のコイル巻線１１１に供給される。これにより、固定子コイル巻線１１１と固定子コア１０９とにより生成される磁場が変化する。この磁場により、回転子１１２は、固定子１０９内で回転する。回転子１１２の回転により、クランクシャフト１０７が回転する。クランクシャフト１０７の回転により、ピストン１０６は、シリンダーブロック１０５内のシリンダ内で往復運動する。この往復運動は、冷却サイクルの一部として冷媒を圧縮する。
【００１５】
排出消音システムは、圧縮機により、冷却システムに、または一般に、圧縮機に付随する回路の高圧側に、ポンプで送り出されるガスの脈動を減衰させるように設計されている。排出消音システムはまた、圧縮機により外部環境に伝わるノイズを低減するように働く。ガスの脈動により、圧縮機の排出に連結されたダクトおよびコンポーネントは、励振される。このような励振は、次に、常に望ましくないノイズを生成する。前記消音チャンバーシステムには、いくつかの構造が使用されている。しかし、一般に、圧縮機の用途、タイプ、サイズに応じて選択された寸法で一連のチューブ、容積、および局所的な制限を通過するガス流をつくることと、減衰させるノイズ帯域を考慮に入れることとが原理に含まれる。
【００１６】
本発明の実施形態では、排出マフラーチャンバーの容積は、小型化された圧縮機においても拡大することができる。この追加の容積は、メインフレームの下の排出マフラーチャンバーを脚として配置することから生じる。したがって、容積を拡大すると、大きなマフラー容積を必要とするノイズ帯域を減衰させることができる。
【００１７】
図２Ａから図２Ｃは、本発明の一実施形態による圧縮ユニット２０３および起電力ユニット２０４の図を示す。図２Ａは正面図であり、図２Ｂは側面図であり、図２Ｃは上面図である。
【００１８】
起電力ユニット２０４は、固定子２０９と、固定子２０９の内部に配置されている回転子２１２とを備える。固定子２０９は、固定子２０９の周囲に配置されているサスペンションスプリング２１３により支持されている。圧縮ユニット２０３は、シリンダーブロック２０５を備える。シリンダーブロック２０５は、圧縮チャンバー２０６を取り囲んでいる。圧縮チャンバー２０６の一端は、シリンダーヘッド２１６により覆われている。シリンダーヘッド２１６は、冷媒吸引チャンバーと冷媒排出チャンバーとを有する。バリューアセンブリは、シリンダーブロック２０５の冷媒吸引チャンバー（図示せず）と圧縮チャンバー２０６との間、および圧縮チャンバーと冷媒排出チャンバーとの間の冷媒の流量をも制御する。シリンダーヘッド２１６の冷媒排出チャンバーは、排出マフラーに結合している。排出マフラーは、シリンダーブロック２０５の上面および下面から突出し、排出マフラーカバー２２１は、一端で排出マフラーを密封するためのカバーを備える。排出マフラーカバー２２１は、冷媒が凝縮器（図示せず）に供給される冷媒排出パイプ２２２に接続されている。シリンダーブロックの前面（図５ｃ参照）には、冷媒ポートが形成されており、排出マフラーと冷媒排出チャンバーを相互に接続している。排出マフラーは、排出マフラー本体部２２０と排出マフラーカバー２２１とからなる。冷媒排出パイプ２２２は、排出マフラーカバー２２１に接続されている。
【００１９】
圧縮ユニット２０３は、圧縮ユニット２０３の下面を形成するメインフレーム２１４により支持されている。フレーム２１４は、圧縮ユニット２０３を支持し、固定子２０９に結合されている取り付け脚２１５を備える。
【００２０】
図２Ｂに示されるように、排出マフラーカバー２２１は、固定子２０９にも結合されている。したがって、メインフレーム２１４の取り付け脚２１５と排出マフラーカバー２２１は、圧縮ユニット２０３を支持する。
【００２１】
排出マフラーは、圧縮チャンバーの片側に形成されており、図２Ａおよび図２Ｂに示されるように、排出マフラーは、圧縮ユニット２０３の実質的な全高にわたって延びている。
【００２２】
図２Ｃに示されるように、シリンダーブロック２０５は、クランクシャフト２０７の前方に配置されており、シリンダーヘッド２１６は、シリンダーブロック２０５の前方に配置されている。排出マフラー本体部２２０は、シリンダーブロック２０５の片側に配置されている。冷媒排出パイプ２２２は、排出マフラーから圧縮ユニット２０３の背面まで延びており、クランクシャフトのシリンダーブロック２０５とシリンダーヘッド２１６とは反対側にいくつかのループを含む。固定子２０９は、断面がほぼ円形であり、圧縮機の全体的なプロファイルは、この円形の断面に近似している。
【００２３】
図３は、本発明の一実施形態による圧縮ユニットおよび起電力ユニットの分解図である。図５Ａから図５Ｃを参照して以下でより詳細に説明するように、シリンダーブロック３０５、排出マフラー本体部３２０、およびメインフレーム３１４は、単一の部品として一体的に形成されている。取り付け脚３１５は、メインフレーム３１４から下向きに延びている。ベアリング３３４は、圧縮ユニットの中心から下向きに延びている。圧縮機が完全に組み立てられると、クランクシャフトはベアリング３３４を貫通する。シリンダーヘッド３１６は、シリンダーブロック３０５に取り付けられている。排出マフラー本体部３２０は、シリンダーブロック３０５の片側に配置されており、取り付け脚３１５は、シリンダーブロック３０５の反対側から下向きに延びている。
【００２４】
排出マフラーカバー３２１は、排出マフラー本体部３２０の下に配置されている。冷媒排出パイプ３２２は、排出マフラーカバー３２１から延びている。固定子３０９は、圧縮ユニットの下に配置されている。
【００２５】
第１の接続ボルト３３０は、固定子３０９の周辺領域の穴に挿通されており、排出マフラーカバー３２１の底部の穴に挿通される前にワッシャー３３３に挿通されている。第１の接続ボルト３３０は、排出マフラー本体部３２０の内部の地点に固定されている。
【００２６】
第２の接続ボルト３３１は、固定子３０９の周辺領域の穴に挿通されており、取り付け脚３１５に固定されている。したがって、第１の接続ボルト３３１および第２の接続ボルト３３１は、圧縮ユニットを起電力ユニットに取り付ける。圧縮ユニットが起電力ユニットに取り付けられている場合、圧縮ユニットは、取り付け脚３１５および排出マフラーカバー３２１により支持されている。取り付け脚３１５と排出マフラーカバー３２１は、圧縮ユニットを支持するために固定子３０９に対して静止している。
【００２７】
第１の接続ボルト３３０および第２の接続ボルト３３１の下端には、サスペンションスプリング３１３を収容する緩衝器３３２が設けられている。第３のサスペンションスプリングは、固定子３０９の下側の緩衝器により受け入れられる。
【００２８】
図４は、従来の圧縮機の圧縮ユニットと起電力ユニットの分解図である。従来の圧縮機では、第１の排出マフラー４２１は、排出マフラー本体部４２０の上部に取り付けられる。排出マフラー本体部４２０は、シリンダーブロック４０５の片側に位置している。冷媒排出パイプ４２２は、排出マフラーカバー４２１から延びている。固定ボルト４３４は、排出マフラーカバー４２１を排出マフラー本体部４２０に固定する。排出マフラー本体部４２０およびシリンダーブロック４０５は、メインフレーム４１４と一体的に形成されている。４つの取り付け脚４１５は、メインフレーム４１４から下向きに延びている。
【００２９】
圧縮機が組み立てられると、取り付け脚４１５は、起電力ユニットの固定子４０９の上の圧縮ユニットを支持する。４つの接続ボルト４３０は、固定子４０９の穴に挿通され、各々取り付け脚４１５に取り付けられる。したがって、起電力ユニットは、圧縮ユニットに取り付けられている。接続ボルト４３０の各々は、接続ボルト４３０のヘッドから形成される緩衝器４３２を備えている。緩衝器４３２は、圧縮機を支持するサスペンションスプリング４１３を受け入れる。
【００３０】
図３と図４との比較から、圧縮ユニットの底部に排出マフラーカバー３２１を配置することにはいくつかの利点があることが分かる。第１に、排出マフラーは、他のコンポーネントに対して高い高さを占める可能性がある。したがって、排出マフラーの高さは、圧縮機のサイズに対して最大化することができる。第２に、圧縮ユニットも排出マフラーカバーで支えられているため、必要な取り付け脚の数を減らすことができる。第３に、排出マフラーカバーが接続ボルトの１つにより所定の位置に保持されるため排出マフラーチャンバーを所定の位置に固定するための別の固定ボルトが必要ないため、必要な部品が少なくて済む。
【００３１】
図５Ａから図５Ｃは、本発明の実施形態による密閉圧縮機の一体型シリンダーブロックの図である。図５Ａは、一体型シリンダーブロック５００の斜視図であり、図５Ｂは、側面図であり、図５Ｃは、正面図である。一体型シリンダーブロック５００は、単一の部品として形成されている。
【００３２】
一体型シリンダーブロック５００は、メインフレーム５１４を備えている。排出マフラー本体部５２０は、メインフレーム５１４から上向きに延びており、形状は、ほぼ円筒形である。排出マフラー本体部５２０は、排出マフラーカバーにより覆われる下向きの開口部を有する。シリンダーブロック５４０は、メインフレーム５１４から上向きに延びており、圧縮チャンバーにつながる円形の開口部５４０を有する。円形の開口部５４０は、圧縮機の前面に面するシリンダーブロック５０５の平坦な側面５４１に形成されている。圧縮機が組み立てられると、平坦な側面５４１は、シリンダーヘッドにより覆われる。ベアリング５３４は、メインフレーム５１４から下向きに延びている。圧縮機が組み立てられると、ベアリング５３４は、クランクシャフトを収容する。取り付け脚５１５は、メインフレーム５１５から下向きに延びている。
【００３３】
図５Ｃから分かるように、正面から見た場合、排出マフラー本体部５２０は、シリンダーブロック５０５の片側に配置されており、取り付け脚５１５は、シリンダーブロック５０５の反対側でメインフレーム５１４から下向きに延びている。冷媒ポート５４２は、シリンダーブロック５４０の平坦な側面５４１に位置している。冷媒ポート５４２は、排出マフラー本体部５２０に結合し、圧縮機が組み立てられると、冷媒ポート５４２は、シリンダーヘッドの冷媒排出チャンバーを排出マフラーに結合する。
【００３４】
さらなる実施形態として、第２の排出マフラーが第１の排出マフラーの出力に連結される態様が想定される。第２の排出マフラーの寸法は、第１の排出マフラーに一致するように選択されてもよく、または、例えば、異なる周波数の振動を減衰させるために、第１の排出マフラーとは異なるように選択されてもよい。
【００３５】
上記説明は、例示的な実施形態を説明しているが、当業者には、本発明の範囲および精神の範囲内で実施形態の多くの変形を行うことができることが理解されよう。
【図１】
2021519880.tif 000003
【図２Ａ】
2021519880.tif 000004
【図２Ｂ】
2021519880.tif 000005
【図２Ｃ】
2021519880.tif 000006
【図３】
2021519880.tif 000007
【図４】
2021519880.tif 000008
【図５Ａ】
2021519880.tif 000009
【図５Ｂ】
2021519880.tif 000010
【図５Ｃ】
2021519880.tif 000011
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
圧縮ユニットと起電力ユニットとを備える密閉圧縮機であって、
前記圧縮ユニットが、
圧縮チャンバーを有するシリンダーブロックと、
前記圧縮チャンバーに制御可能に結合可能である排出チャンバーを有するシリンダーヘッドと、
前記排出チャンバーに結合された排出マフラーチャンバーを形成する排出マフラー本体部および排出マフラーカバーと、
前記圧縮チャンバー内で冷媒を圧縮するように構成されているピストンと、
少なくとも１つの取り付け脚を有するメインフレームと
を備え、
前記起電力ユニットが、
固定子と、
回転子と、
前記回転子に結合したクランクシャフトと
を備え、
前記起電力ユニットが、前記固定子に対する前記回転子の回転運動が前記クランクシャフトの回転を引き起こすことにより前記ピストンを駆動して前記圧縮チャンバー内で冷媒を圧縮するように構成されており、
前記圧縮ユニットが、前記起電力ユニットの固定子に結合されており、前記メインフレームの少なくとも１つの取り付け脚および前記排出マフラーカバーにより支持されている、
密閉圧縮機。
【請求項２】
前記シリンダーブロック、前記メインフレーム、および前記排出マフラー本体部が一体的に形成されている、請求項１に記載の密閉圧縮機。
【請求項３】
前記シリンダーブロック内に形成された排出ポートであって、前記排出チャンバーを前記排出マフラーに接続している排出ポートをさらに備える、請求項１または２に記載の密閉圧縮機。
【請求項４】
前記排出マフラー本体部を前記固定子に取り付け、前記排出マフラーカバーに挿通されることにより前記排出マフラーカバーを所定の位置に保持する接続ボルトをさらに備える、請求項１から３のいずれか一項に記載の密閉圧縮機。
【請求項５】
前記接続ボルトが、サスペンションスプリングを受け入れるように構成された緩衝器を形成するヘッドを有する、請求項４に記載の密閉圧縮機。
【請求項６】
第１のチャンバーカバーに結合した冷媒排出パイプをさらに備える、請求項１から５のいずれか一項に記載の密閉圧縮機。
【請求項７】
前記排出マフラーが、前記圧縮チャンバーから横方向に変位している、請求項１から６のいずれか一項に記載の密閉圧縮機。
【請求項８】
第２の排出マフラーをさらに備える、請求項１から７のいずれか一項に記載の密閉圧縮機。
【国際調査報告】
2021519880.tif 000012
2021519880.tif 000013
2021519880.tif 000014
2021519880.tif 000015
2021519880.tif 000016
2021519880.tif 000017